Podtech/llm-jp-corpus-v4-ja_patent huggingface dataset:
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
複数の文書データから、文字列を含む検索条件に対して検索された文書データを取得する情報処理装置であって、
前記検索条件において、誤りのある文字列を特定する特定手段と、
前記検索条件に対して取得された文書データに含まれる文字列と前記特定された誤りのある文字列とに基づき、前記誤りのある文字列を修正する文字列を前記取得された文書データに含まれる文字列から選定する選定手段と
を備えることを特徴とする情報処理装置。
【請求項２】
前記選定された文字列を表示させるべく出力する出力手段を備えることを特徴とする請求項１に記載の情報処理装置。
【請求項３】
前記選定された文字列から、前記誤りのある文字列を修正する文字列の指定を受け付ける受付手段を備えることを特徴とする請求項１または２に記載の情報処理装置。
【請求項４】
前記修正する文字列により修正された文字列を含む検索条件に対して再検索された文書データを取得することを特徴とする請求項１〜３のいずれか１項に記載の情報処理装置。
【請求項５】
前記選定手段は、前記検索条件に対して取得された文書データに含まれる文字列と前記特定された誤りのある文字列との類似度に基づいて前記修正する文字列を選定することを特徴とする請求項１〜４のいずれか１項に記載の情報処理装置。
【請求項６】
前記選定手段は、前記取得された文書データにおける、前記類似度に基づいて選定された文字列と前記検索条件に含まれる文字列との共起頻度に基づいて前記修正する文字列を選定することを特徴とする請求項５に記載の情報処理装置。
【請求項７】
複数の文書データから、文字列を含む検索条件に対して検索された文書データを取得する情報処理装置の制御方法であって、
特定手段が、前記検索条件において、誤りのある文字列を特定する特定ステップと、
選定手段が、前記検索条件に対して取得された文書データに含まれる文字列と前記特定された誤りのある文字列とに基づき、前記誤りのある文字列を修正する文字列を前記取得された文書データに含まれる文字列から選定する選定ステップと
を備えることを特徴とする情報処理装置の制御方法。
【請求項８】
複数の文書データから、文字列を含む検索条件に対して検索された文書データを取得する情報処理装置で実行可能なプログラムであって、
前記情報処理装置を、
前記検索条件において、誤りのある文字列を特定する特定手段と、
前記検索条件に対して取得された文書データに含まれる文字列と前記特定された誤りのある文字列とに基づき、前記誤りのある文字列を修正する文字列を前記取得された文書データに含まれる文字列から選定する選定手段
として機能させるためのプログラム。
【手続補正２】
【補正対象書類名】明細書
【補正対象項目名】０００９
【補正方法】変更
【補正の内容】
【０００９】
本発明の目的は、検索条件に含まれる誤りのある文字列に対し、修正する文字列を選定することが可能な技術を提供することである。
【手続補正３】
【補正対象書類名】明細書
【補正対象項目名】００１０
【補正方法】変更
【補正の内容】
【００１０】
上記の目的を達成するために、本発明は、〜を特徴とする。
【手続補正４】
【補正対象書類名】明細書
【補正対象項目名】００１１
【補正方法】変更
【補正の内容】
【００１１】
本発明によれば、検索条件に含まれる誤りのある文字列に対し、修正する文字列を選定することが可能となる。
【手続補正５】
【補正対象書類名】明細書
【補正対象項目名】発明の名称
【補正方法】変更
【補正の内容】
【発明の名称】情報処理装置、その制御方法、及びプログラム
【手続補正６】
【補正対象書類名】明細書
【補正対象項目名】０００１
【補正方法】変更
【補正の内容】
【０００１】
本発明は、検索条件に含まれる誤りのある文字列に対し、修正する文字列を選定することのできる情報処理装置、その制御方法、及びプログラム技術に関する。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
所定のウェブサイトを経由して譲渡される商品に関し、表示候補のコンテンツについて、当該コンテンツが表示される優先度合を示す第１指標を演算する第１指標演算手段と、
前記第１指標に基づいて、前記表示候補のコンテンツを所定数に絞り込む絞込手段と、
絞り込まれた前記表示候補のコンテンツについて、前記第１指標と前記コンテンツの所在情報とを含むリストを生成し、別の情報処理装置に送信する制御を実行するリスト生成手段と、
を備える情報処理装置であって、
前記別の情報処理装置においては、
前記情報処理装置から送信されてきた前記リストが取得され、
前記別の情報処理装置によって取得された前記ユーザの行動履歴に基づいて、前記リストに含まれる表示候補のコンテンツについて、当該コンテンツが表示される前記ユーザ用の優先度合を示す第２指標が演算され、
前記第１指標及び前記第２指標に基づいて、前記リストに含まれる表示候補のコンテンツの中から取得するコンテンツが決定され、
決定された前記コンテンツが、前記所在情報に基づいて取得されて、当該コンテンツが表示される、
情報処理装置。
【請求項２】
前記情報処理装置において、
前記第１指標演算手段は、前記１以上の商品毎に、前記商品の譲渡量に応じて変化する第１の量と、閲覧のためにアクセスされた、前記所定のウェブサイトに含まれかつ前記商品と関連付けられた所定のウェブページに関する第２の量とに基づいて、前記第１指標を演算し、
前記別の情報処理装置において、
前記表示候補のコンテンツの商品毎の、前記ユーザに関する当該商品と前記ユーザとの相関度合が演算され、
取得された前記リストに含まれる前記第１指標、及び演算された前記相関度合に基づいて、前記第２指標が、前記１以上の商品毎に演算される、
請求項１に記載の情報処理装置。
【請求項３】
コンテンツを表示部に表示する別の情報処理装置に接続される情報処理装置であって、
所定のウェブサイトを経由して譲渡される商品に関し、表示候補のコンテンツについて、当該コンテンツが表示される優先度合を示す第１指標を演算する第１指標演算手段と、
前記第１指標に基づいて、前記表示候補のコンテンツを所定数に絞り込む絞込手段と、
前記表示候補のコンテンツについて、前記別の情報処理装置によって取得されたユーザの行動履歴に基づいて、当該コンテンツが表示される前記ユーザ用の優先度合を示す第２指標を演算する第２指標演算手段と、
前記絞込手段により絞り込まれた前記表示候補のコンテンツについて、前記第１指標及び前記第２指標と前記コンテンツの所在情報とを含むリストを、前記リストに基づいて前記コンテンツを取得する前記別の情報処理装置に送信する制御を実行する手段と、
を備える情報処理装置。
【請求項４】
前記第１指標演算手段は、
前記ウェブサイトにおいて所定期間に販売された販売量を単位商品の売値に積算した値に基づいて、前記単位商品毎の前記第１指標を演算する、
請求項１乃至３のうち何れか１項に記載の情報処理装置。
【請求項５】
前記別の情報処理装置が、
前記情報処理装置から取得された前記リストに含まれる前記第１指標及び前記第２指標に基づいて、前記リストに含まれる表示候補のコンテンツの中から、取得するコンテンツを決定する決定手段と、
決定した前記コンテンツを、前記リストに含まれる前記所在情報に基づいて取得し、当該コンテンツを前記表示部に表示させる表示制御手段と、
を備える請求項３に記載の情報処理装置。
【請求項６】
コンテンツ表示部に表示する別の情報処理装置に接続される情報処理装置における情報処理方法において、
前記情報処理装置が実行するステップとして、
所定のウェブサイトを経由して譲渡される商品に関し、表示候補のコンテンツについて、当該コンテンツが表示される優先度合を示す第１指標を演算する第１指標演算ステップと、
前記第１指標に基づいて、前記表示候補のコンテンツを所定数に絞り込む絞込ステップと、
前記表示候補のコンテンツについて、前記別の情報処理装置によって取得されたユーザの行動履歴に基づいて、当該コンテンツが表示される前記ユーザ用の優先度合を示す第２指標を演算する第２指標演算ステップと、
前記絞込ステップにより絞り込まれた前記表示候補のコンテンツについて、前記第１指標及び前記第２指標と前記コンテンツの所在情報とを含むリストを、前記リストに基づいて前記コンテンツを取得する前記別の情報処理装置に送信する制御を実行するステップと、
を含む、
情報処理方法。
【請求項７】
コンテンツを表示部に表示する別の情報処理装置に接続される情報処理装置におけるプログラムにおいて、
前記情報処理装置を制御するコンピュータに、
所定のウェブサイトを経由して譲渡される商品に関し、表示候補のコンテンツについて、当該コンテンツが表示される優先度合を示す第１指標を演算する第１指標演算ステップと、
前記第１指標に基づいて、前記表示候補のコンテンツを所定数に絞り込む絞込ステップと、
前記表示候補のコンテンツについて、前記別の情報処理装置によって取得されたユーザの行動履歴に基づいて、当該コンテンツが表示される前記ユーザ用の優先度合を示す第２指標を演算する第２指標演算ステップと、
前記絞込ステップにより絞り込まれた前記表示候補のコンテンツについて、前記第１指標及び前記第２指標と前記コンテンツの所在情報とを含むリストを、前記リストに基づいて前記コンテンツを取得する前記別の情報処理装置に送信する制御を実行するステップと、
を含む制御処理を実行させる、
プログラム。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向けて遊技球を発射することによって遊技を行う遊技機であって、
第１演出と、動画データを再生する第２演出とを実行可能な演出実行手段と、
前記動画データとして、キーフレーム画像と、キーフレーム画像および差分データを利用して生成される生成フレーム画像とを、フレーム番号に従った順序で表示することによって再生されるデータを記憶する記憶手段と、
前記第１演出の実行中に、前記第１演出の実行時間の経過に伴って、前記生成フレーム画像を生成することなく、前記フレーム番号を更新する更新手段と、
を備え、
前記演出実行手段は、前記第１演出の実行中に所定の実行条件が成立すると、前記更新手段によって更新された前記フレーム番号に基づいて前記動画データの再生を開始することによって、前記第２演出を実行する
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技盤に形成された遊技領域に向けて遊技球を発射することによって遊技を行う遊技機であって、
第１演出と、動画データを再生する第２演出とを実行可能な演出実行手段と、
前記動画データとして、キーフレーム画像と、キーフレーム画像および差分データを利用して生成される生成フレーム画像とを、フレーム番号に従った順序で表示することによって再生されるデータを記憶する記憶手段と、
前記第１演出の実行中に、前記第１演出の実行時間の経過に伴って、前記生成フレーム画像を生成することなく、前記フレーム番号を更新する更新手段と、
を備え、
前記演出実行手段は、前記第１演出の実行中に所定の実行条件が成立すると、前記更新手段によって更新された前記フレーム番号に基づいて前記動画データの再生を開始することによって、前記第２演出を実行する
ことを特徴とする。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向けて遊技球を発射することによって遊技を行う遊技機であって、
第１演出と、時間の経過と共に表示態様が変化する第２演出とを実行可能な演出実行手段を備え、
前記第１演出の実行中は、時間の経過に伴う前記第２演出の前記表示態様の変化に係る変化用処理を、前記第２演出として表示する画像を生成することなく実行可能であり、
前記演出実行手段は、前記第１演出の実行中に所定の実行条件が成立すると、前記所定の実行条件が成立したタイミングに対応する前記表示態様を前記変化用処理の結果に基づいて導出し、当該表示態様から前記第２演出を開始する
ことを特徴とする遊技機。
【手続補正２】
【補正対象書類名】明細書
【補正対象項目名】０００７
【補正方法】変更
【補正の内容】
【０００７】
遊技盤に形成された遊技領域に向けて遊技球を発射することによって遊技を行う遊技機であって、
第１演出と、時間の経過と共に表示態様が変化する第２演出とを実行可能な演出実行手段を備え、
前記第１演出の実行中は、時間の経過に伴う前記第２演出の前記表示態様の変化に係る変化用処理を、前記第２演出として表示する画像を生成することなく実行可能であり、
前記演出実行手段は、前記第１演出の実行中に所定の実行条件が成立すると、前記所定の実行条件が成立したタイミングに対応する前記表示態様を前記変化用処理の結果に基づいて導出し、当該表示態様から前記第２演出を開始する
ことを特徴とする。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向けて遊技球を発射することによって遊技を行う遊技機であって、
遊技者に特典を付与する特典付与手段を備え、
前記特典が遊技者に付与される可能性を示唆する演出として、数字を示す数字画像を表示し、時間の経過に伴って前記数字画像が示す数字が加算されていくカウントアップ演出を実行可能であり、
前記カウントアップ演出としては、最小値を初期値として前記数字画像が示す数字が最大値まで加算されていく演出を実行可能であり、
所定の条件が成立した場合は、前記最小値と前記最大値との間の値を初期値として前記数字画像が示す数字の加算を開始する前記カウントアップ演出を実行するものであり、
前記カウントアップ演出において前記数字画像が示す数字の加算が停止された場合は、該数字の加算が停止される前よりも前記数字画像を大きく表示する
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技盤に形成された遊技領域に向けて遊技球を発射することによって遊技を行う遊技機であって、
遊技者に特典を付与する特典付与手段を備え、
前記特典が遊技者に付与される可能性を示唆する演出として、数字を示す数字画像を表示し、時間の経過に伴って前記数字画像が示す数字が加算されていくカウントアップ演出を実行可能であり、
前記カウントアップ演出としては、最小値を初期値として前記数字画像が示す数字が最大値まで加算されていく演出を実行可能であり、
所定の条件が成立した場合は、前記最小値と前記最大値との間の値を初期値として前記数字画像が示す数字の加算を開始する前記カウントアップ演出を実行するものであり、
前記カウントアップ演出において前記数字画像が示す数字の加算が停止された場合は、該数字の加算が停止される前よりも前記数字画像を大きく表示する
ことを特徴とする。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向けて遊技球を発射することによって遊技を行う遊技機であって、
遊技者に特典を付与する特典付与手段を備え、
前記特典が遊技者に付与される可能性を示唆する演出として、時間の経過に伴って数字画像が示す数字が加算されていくカウントアップ演出を実行可能であり、
前記数字画像は、遊技者による操作に基づいて表示可能である
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技盤に形成された遊技領域に向けて遊技球を発射することによって遊技を行う遊技機であって、
遊技者に特典を付与する特典付与手段を備え、
前記特典が遊技者に付与される可能性を示唆する演出として、時間の経過に伴って数字画像が示す数字が加算されていくカウントアップ演出を実行可能であり、
前記数字画像は、遊技者による操作に基づいて表示可能である
ことを特徴とする。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
表示領域の外側に、液晶層を挟んで対向する一対の電極を有し、
前記一対の電極に同じ周波数で基準電位に対して振幅し、位相が異なる交流信号が印加される、液晶装置。
【請求項２】
前記一対の電極に印加される前記交流信号の位相は、１８０度ずれている、請求項１に記載の液晶装置。
【請求項３】
前記液晶層を挟んで対向する前記一対の電極の間の距離は、前記液晶層の厚みよりも小さい、請求項１または２に記載の液晶装置。
【請求項４】
前記表示領域には、画素ごとに配置された画素電極と、前記液晶層を挟んで前記画素電極に対向する対向電極を有し、
前記液晶層を挟んで対向する前記一対の電極の間の距離は、前記一対の電極と前記画素電極または前記対向電極との間の距離よりも小さい、請求項１乃至３のいずれか一項に記載の液晶装置。
【請求項５】
前記一対の電極は、前記表示領域を囲むように設けられている、請求項１乃至４のいずれか一項に記載の液晶装置。
【請求項６】
前記液晶層は、シール部を挟んで対向配置された一対の基板の間に封入され、
前記シール部は、前記シール部によって囲まれた領域に液晶を注入するための注入口を有し、
前記一対の電極は、前記表示領域の端部と前記注入口との間に配置されている、請求項１乃至４のいずれか一項に記載の液晶装置。
【請求項７】
前記液晶層は、負の誘電異方性を有する液晶分子を含み、
前記一対の電極は、前記表示領域の外側において、前記液晶分子のプレチルトの方向に対して抗する方向に配置されている、請求項１乃至４のいずれか一項に記載の液晶装置。
【請求項８】
前記一対の電極と前記液晶層との間には、配向膜が配置されていない、請求項１乃至７のいずれか一項に記載の液晶装置。
【請求項９】
前記一対の電極と前記液晶層との間には、無機配向膜が配置されている、請求項１乃至７のいずれか一項に記載の液晶装置。
【請求項１０】
前記一対の電極を覆う前記無機配向膜には、シランカップリング処理が施されている、請求項９に記載の液晶装置。
【請求項１１】
前記シランカップリング処理が施された前記無機配向膜は、前記表示領域と前記表示領域の外側とに亘って配置されている、請求項１０に記載の液晶装置。
【請求項１２】
請求項１乃至１１のいずれか一項に記載の液晶装置を備えた、電子機器。
【請求項１３】
表示領域の外側に、液晶層を挟んで対向する一対の電極を有し、
前記一対の電極に同じ周波数で基準電位に対して振幅し、位相が異なる交流信号を印加する、液晶装置の駆動方法。
【請求項１４】
前記一対の電極に印加する前記交流信号の位相は、１８０度ずれている、請求項１３に記載の液晶装置の駆動方法。
【請求項１５】
前記交流信号は、矩形波である、請求項１３または１４に記載の液晶装置の駆動方法。
【請求項１６】
前記表示領域には、画素ごとに配置された画素電極と、前記液晶層を挟んで前記画素電極に対向する対向電極を有し、
前記基準電位は、前記対向電極に印加される電位と同じである、請求項１３乃至１５のいずれか一項に記載の液晶装置の駆動方法。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
液体現像剤を担持する回転体の表面に当接して前記回転体の表面から液体現像剤を掻き取るブレードと、前記ブレードによって前記回転体から掻き取られた液体現像剤を収容する容器と、を有するクリーニング装置において、
前記ブレードの長手方向の側端面よりも前記ブレードの長手方向の中央側に配置されたシール部材を有し、
前記シール部材は、前記ブレードの短手方向の先端面に隣接して前記ブレードと前記回転体との当接部を通って前記ブレードの前記側端面側に向かう液体現像剤の移動を妨げると共に、前記ブレードの前記先端面と前記シール部材との隣接部を通って前記ブレードの前記側端面側に向かう液体現像剤を前記容器内へと導く凹稜線が設けられていることを特徴とするクリーニング装置。
【請求項２】
前記シール部材は、
前記ブレードの前記先端面に隣接する第１面と、前記回転体の表面に隣接する第２面と、前記第１面及び前記第２面に接続され前記ブレードの長手方向の前記側端面側を向いた第３面と、を備えた第１部分と、
前記回転体の表面に接触しないように前記第２面よりも前記回転体の表面から離間され前記回転体の表面側を向いた第４面を備えた、前記第１部分よりも前記ブレードの長手方向の前記側端面側に配置された第２部分と、
を有し、
前記第３面と前記第４面との隣接部に前記凹稜線が形成されることを特徴とする請求項１に記載のクリーニング装置。
【請求項３】
前記第１部分と前記第２部分とはそれぞれ個別の部材で構成されていることを特徴とする請求項２に記載のクリーニング装置。
【請求項４】
前記第１部分と前記第２部分とは、隣接部において互いに接触しているか又は１．０ｍｍ以下の間隙を介して近接していることを特徴とする請求項３に記載のクリーニング装置。
【請求項５】
前記第１部分と前記第２部分とは一体的に構成されていることを特徴とする請求項２に記載のクリーニング装置。
【請求項６】
前記第１部分の前記第１面と前記ブレードの前記先端面とは、隣接部において互いに接触しているか又は１．０ｍｍ以下の間隙を介して近接していることを特徴とする請求項２〜５のいずれか一項に記載のクリーニング装置。
【請求項７】
前記第１部分の前記第２面と前記回転体の表面とは、隣接部において互いに接触しているか又は１．０ｍｍ以下の間隙を介して近接していることを特徴とする請求項２〜６のいずれか一項に記載のクリーニング装置。
【請求項８】
前記ブレードよりも前記回転体の回転方向の上流側において前記ブレードの長手方向に沿って配置され、前記ブレードにより前記回転体の表面から掻き取られた液体現像剤を前記容器内に回収するシートを有し、
前記シートは、前記シール部材の少なくとも一部に接触していることを特徴とする請求項１〜７のいずれか一項に記載のクリーニング装置。
【請求項９】
前記シール部材は、スポンジで形成されていることを特徴とする請求項１〜８のいずれか一項に記載のクリーニング装置。
【請求項１０】
前記スポンジは、フッ素ゴム発泡体、フッ素樹脂でコーティングされた発泡体を含む群から選択されるフッ素系のスポンジであることを特徴とする請求項９に記載のクリーニング装置。
【請求項１１】
前記ブレードの長手方向における前記側端面から前記シール部材までの距離は３ｍｍ以上であることを特徴とする請求項１〜１０のいずれか一項に記載のクリーニング装置。
【請求項１２】
液体現像剤を担持する回転体と、
請求項１〜１１のいずれか一項に記載のクリーニング装置と、
を有する画像形成装置。
【手続補正２】
【補正対象書類名】図面
【補正対象項目名】図１
【補正方法】変更
【補正の内容】
【図１】
2018124341.tif 000001
【手続補正３】
【補正対象書類名】図面
【補正対象項目名】図２
【補正方法】変更
【補正の内容】
【図２】
2018124341.tif 000002
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
光を射出する複数の光源部と、
前記複数の光源部からの光を画像情報に応じて変調する光変調装置と、
前記光変調装置により変調された光を投射する投射光学系と、
前記複数の光源部を駆動させる駆動部と、を備え、
前記複数の光源部は、射出する光の波長が互いに異なる第１光源部および第２光源部を含み、
前記第１光源部及び前記第２光源部における発光の明るさを変化させる場合、前記駆動部は、前記第１光源部の発光に関する第１発光情報と前記第２光源部の発光に関する第２発光情報とを決定した後に、所定のタイミングで、前記第１発光情報に基づいて前記第１光源部における発光の明るさを変化させるとともに前記第２発光情報に基づいて前記第２光源部における発光の明るさを変化させる
ことを特徴とするプロジェクター。
【請求項２】
前記駆動部は、前記所定のタイミングとして前記光変調装置に垂直同期信号が出力されるタイミングで、前記第１発光情報及び前記第２発光情報に基づいて前記第１光源部及び前記第２光源部における発光の明るさを変化させる
ことを特徴とする請求項１に記載のプロジェクター。
【請求項３】
前記駆動部は、前記第１光源部及び前記第２光源部に供給される駆動電流のパルス幅変調制御により、前記第１光源部及び前記第２光源部を駆動し、
前記第１発光情報及び前記第２発光情報は、前記駆動電流の電流値及び前記パルス幅変調制御のパルス幅のうち少なくとも一方を含む
ことを特徴とする請求項１又は２に記載のプロジェクター。
【請求項４】
前記第１光源部は、第１波長の光を射出する第１発光素子群を含み、
前記第２光源部は、前記第１波長の光を射出する第２発光素子群と、前記第２発光素子群からの光の波長を前記第１波長から第２波長に変換する光波長変換素子と、を含む
ことを特徴とする請求項１乃至３のいずれか一項に記載のプロジェクター。
【請求項５】
前記第１波長の光は、４３０ｎｍ〜４８０ｎｍの波長帯の光であり、
前記第２波長の光は、５２０ｎｍ〜５８０ｎｍの波長帯の光である
ことを特徴とする請求項４に記載のプロジェクター。
【請求項６】
前記第１光源部は、第１波長の光を射出する第１発光素子群を含み、
前記第２光源部は、前記第１波長とは異なる第３波長の光を射出する第３発光素子群を含む
ことを特徴とする請求項１乃至３のいずれか一項に記載のプロジェクター。
【請求項７】
前記第１波長及び前記第３波長は、４３０ｎｍ〜４８０ｎｍ、４８０ｎｍ〜５２０ｎｍ
及び６２０ｎｍ〜８１０ｎｍのうちのいずれか２つの波長帯である
ことを特徴とする請求項６に記載のプロジェクター。
【請求項８】
射出する光の波長が互いに異なる第１光源部および第２光源を含む複数の光源部と、前記複数の光源部からの光を画像情報に応じて変調する光変調装置と、前記光変調装置により変調された光を投射する投射光学系とを備えたプロジェクターの制御方法であって、
前記画像情報の明るさに関する情報を取得する情報取得ステップと、
取得した前記画像情報の明るさに関する情報に基づいて、前記複数の光源部を駆動させる駆動ステップと、を有し、
前記駆動ステップにおいて、前記第１光源部及び前記第２光源部における発光の明るさを変化させる場合、前記第１光源部の発光に関する第１発光情報と、前記第２光源部の発光に関する第２発光情報とを決定した後に、所定のタイミングで、前記第１発光情報に基づいて前記第１光源部における発光の明るさを変化させるとともに前記第２発光情報に基づいて前記第２光源部における発光の明るさを変化させる
ことを特徴とするプロジェクターの制御方法。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
第１領域と、端子部と、前記第１領域から前記端子部に向かって延在している信号配線と、を有する基板と、
前記端子部に接続された配線基板と、を備える電子機器であって、
前記信号配線は、前記配線基板と電気的に接続し、
前記信号配線間には、前記基板を貫通する孔が形成されており、
前記基板は、前記第１領域と前記端子部との間に折り曲げ領域を有し、
前記基板は、平面視において、前記第１領域と前記端子部とが重なるように、前記折り曲げ領域において折り曲げられていることを特徴とする電子機器。
【請求項２】
前記信号配線は、前記折り曲げ領域において、複数の屈曲部を有するように形成されていることを特徴とする請求項１に記載の電子機器。
【請求項３】
前記孔は、前記屈曲部と前記屈曲部との間に形成されていることを特徴とする請求項２に記載の電子機器。
【請求項４】
前記孔は前記信号配線と平行に形成されていることを特徴とする請求項１又は２に記載の電子機器。
【請求項５】
前記基板はポリイミドで形成されていることを特徴とする請求項１乃至３のいずれか１項に記載の電子機器。
【請求項６】
第１領域と、端子部と、前記第１領域から前記端子部に向かって延在している信号配線と、を有する基板と、
前記端子部に接続された配線基板と、を備える電子機器であって、
前記信号配線は、前記配線基板と電気的に接続し、
前記基板は、前記信号配線が形成された第１面と、前記第１面とは反対側の第２面と、
を有し、
前記第２面には前記基板を貫通しない凹部が形成されており、
前記基板は、前記端子部と前記第１領域との間に折り曲げ領域を有し、
前記基板は、平面視において、前記第１領域と前記端子部とが重なるように、前記折り曲げ領域において折り曲げられていることを特徴とする電子機器。
【請求項７】
前記信号配線は、前記折り曲げ領域において、複数の屈曲部を有するように形成されていることを特徴とする請求項６に記載の電子機器。
【請求項８】
前記凹部は、前記信号配線の延在方向と直交する方向に直線状に形成されていることを特徴とする請求項６に記載の電子機器。
【請求項９】
前記凹部は、前記信号配線の延在方向と直交する方向に間隔を持って、かつ、直線状に形成されていることを特徴とする請求項６に記載の電子機器。
【請求項１０】
前記凹部は、平面視において、前記信号配線の前記屈曲部と前記屈曲部との間の位置に重なるように形成されていることを特徴とする請求項６乃至８のいずれか１項に記載の電子機器。
【請求項１１】
前記基板はポリイミドで形成されていることを特徴とする請求項６乃至９のいずれか１項に記載の電子機器。
【手続補正２】
【補正対象書類名】明細書
【補正対象項目名】発明の名称
【補正方法】変更
【補正の内容】
【発明の名称】電子機器
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
基板と、
前記基板の一表面に設けられ、トランジスタと配線と絶縁層とを含む回路層と、
前記回路層の上層に配列された複数の画素とを備え、
前記基板の上には、前記複数の画素が位置する表示領域と、前記表示領域の囲う周辺領域とが位置し、
前記回路層は、前記表示領域と前記周辺領域とに跨って位置し、
前記回路層の前記周辺領域には、前記回路層を貫通する貫通孔が位置し、
前記貫通孔は、前記基板の前記一表面に設けられた有底孔と重畳することを特徴とする表示装置。
【請求項２】
前記貫通孔は、前記表示領域を囲む周状であることを特徴とする請求項１に記載の表示装置。
【請求項３】
前記トランジスタは半導体層を有し、
前記絶縁層は、
前記半導体層の下層に設けられた第１無機絶縁層及び
前記半導体層の上層に設けられた第２無機絶縁層を有する請求項１に記載の表示装置。
【請求項４】
前記複数の画素の各々に含まれる複数の発光素子と、
前記複数の発光素子発光素子を覆う封止層と、を更に備え、
前記貫通孔は、前記封止層を更に貫通することを特徴とする請求項１に記載の表示装置。
【請求項５】
前記封止層は、第３無機絶縁層、第１有機絶縁層及び第４無機絶縁層を有し、
前記第３無機絶縁層は、端部が前記貫通孔の外側に配置され、
前記第１有機絶縁層は、前記第３無機絶縁層の上層に設けられ、且つ前記複数の画素に重畳し、
前記第４無機絶縁層は、前記第１有機絶縁層の上層に設けられ、且つ端部が前記貫通孔の外側に配置されることを特徴とする請求項４に記載の表示装置。
【請求項６】
前記第１有機絶縁層は、端部が前記貫通孔の内側に配置されることを特徴とする請求項５に記載の表示装置。
【請求項７】
前記第１有機絶縁層は、端部が前記貫通孔の外側に配置されることを特徴とする請求項５に記載の表示装置。
【請求項８】
前記封止層の上層に設けられた保護層を更に備え、
前記貫通孔は、前記保護層を更に貫通することを特徴とする請求項４に記載の表示装置。
【請求項９】
前記回路層には、
前記複数の画素の各々に設けられ、且つ前記複数の画素を制御する画素回路と、
前記周辺領域に設けられ、且つ前記画素回路と接続する周辺回路とを有する請求項１に記載の表示装置。
【請求項１０】
前記基板は、第１の辺と、前記第１の辺に交差する第２の辺とを有し、
前記基板の上には、前記第１の辺に沿って複数の端子が位置し、
前記貫通孔は、前記第２の辺に沿って延びると共に、前記第１の辺と交差する請求項１に記載の表示装置。
【請求項１１】
前記基板は、第１の辺と対向する第３の辺と、前記第２の辺と対向し前記第１の辺と交差する第４の辺と、を有し、
前記貫通孔は、前記第２の辺と前記第３の辺と前記第４の辺とに沿って、且つ連続して延びる請求項１０に記載の表示装置。
【請求項１２】
基板と、
前記基板の一表面に設けられ、トランジスタと配線と絶縁層とを含む回路層と、
前記回路層の上層に配列された複数の発光素子と、
前記発光素子を覆う封止膜を備え、
前記基板の上には、前記複数の発光素子が位置する表示領域と、前記表示領域の囲う周辺領域とが位置し、
前記回路層は、前記表示領域と前記周辺領域とに跨って位置し、
前記回路層の前記周辺領域には、前記回路層と前記封止層を貫通する貫通孔を有することを特徴とする表示装置。
【請求項１３】
前記貫通孔は、前記表示領域を囲む周状であることを特徴とする請求項１２に記載の表示装置。
【請求項１４】
前記トランジスタは半導体層を有し、
前記絶縁層は、
前記半導体層の下層に設けられた第１無機絶縁層及び、
前記半導体層の上層に設けられた第２無機絶縁層を有する請求項１２に記載の表示装置。
【請求項１５】
前記貫通孔は、前記基板の前記一表面に有底孔を有することを特徴とする請求項１２に記載の表示装置。
【請求項１６】
前記封止層は、第３無機絶縁層、第１有機絶縁層及び第４無機絶縁層を有し、
前記第３無機絶縁層は、端部が前記貫通孔の外側に配置され、
前記第１有機絶縁層は、前記第３無機絶縁層の上層に設けられ、且つ前記複数の発光素子に重畳し、
前記第４無機絶縁層は、前記第１有機絶縁層の上層に設けられ、且つ端部が前記貫通孔の外側に配置されることを特徴とする請求項１２に記載の表示装置。
【請求項１７】
前記第１有機絶縁層は、端部が前記貫通孔の内側に配置されることを特徴とする請求項１２に記載の表示装置。
【請求項１８】
前記第１有機絶縁層は、端部が前記貫通孔の外側に配置されることを特徴とする請求項１２に記載の表示装置。
【請求項１９】
前記封止層の上層に設けられた保護層を更に備え、
前記貫通孔は、前記保護層を更に貫通することを特徴とする請求項１２に記載の表示装置。
【請求項２０】
前記回路層には、
前記複数の発光素子の各々の発光を制御する画素回路と、
前記周辺領域に設けられ、且つ前記画素回路と接続する周辺回路とを有する請求項１２に記載の表示装置。
【手続補正２】
【補正対象書類名】図面
【補正対象項目名】図９
【補正方法】変更
【補正の内容】
【図９】
2018124501.tif 000001
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
（ａ）複数のローラによって走行自在に張設されたベルト部材と、
（ｂ）先端を前記ベルト部材に当接させて配設され、ベルト部材の走行に伴ってベルト部材上のトナーを掻き取るクリーニング部材と、
（ｃ）該クリーニング部材によって掻き取られたトナーを収容するためのトナー収容部と、
（ｄ）該トナー収容部内において回転自在に配設され、トナー収容部に収容されたトナーを搬送するトナー搬送部材と、
（ｅ）該トナー搬送部材に配設され、回転に伴ってトナーを巻き上げ、クリーニング部材とベルト部材との当接部分に供給するブラシとを有することを特徴とするベルトユニット。
【請求項２】
前記ブラシは、複数の毛束を備えた毛束群から成り、トナー搬送部材の長手方向において複数配設される請求項１に記載のベルトユニット。
【請求項３】
各毛束は、トナー搬送部材の中心から径方向外方に向けて延びる方向をブラシごとに異ならせて配設される請求項２に記載のベルトユニット。
【請求項４】
（ａ）前記トナー搬送部材はスパイラルであり、
（ｂ）各毛束の先端部は、スパイラルの巻き部より所定の長さ径方向外方に突出させられ、トナー搬送部材の回転に伴ってトナー収容部の所定の箇所と摺動させられる請求項２又は３に記載のベルトユニット。
【請求項５】
ベルトユニットを組み立てる際に、あらかじめ前記トナー収容部にトナーが充填される請求項１〜４のいずれか１項に記載のベルトユニット。
【請求項６】
前記ベルト部材に付着し、クリーニング部材によって掻き取られるトナーは、トナー廃棄処理において廃棄されるトナーである請求項１〜４のいずれか１項に記載のベルトユニット。
【請求項７】
前記ベルト部材に付着し、クリーニング部材によって掻き取られるトナーは、ベルト部材上の現像剤像が媒体に転写された後にベルト部材に残留したトナーである請求項１〜４のいずれか１項に記載のベルトユニット。
【請求項８】
（ａ）複数のローラによって走行自在に張設されたベルト部材と、
（ｂ）先端を前記ベルト部材に当接させて配設され、ベルト部材の走行に伴って、ベルト部材に付着したトナーを掻き取るクリーニング部材と、
（ｃ）該クリーニング部材によって掻き取られたトナーを収容するためのトナー収容部と、
（ｄ）該トナー収容部に収容されたトナーを搬送するトナー搬送部材と、
（ｅ）前記クリーニング部材と前記ベルト部材との当接部分より下方において、前記トナー搬送部材に接触させて配設され、掻き取られたトナーが堆積させられ、トナー搬送部材によってトナーが搬送されるのに伴って、堆積させられたトナーを前記当接部分に供給する堆積部材とを有するとともに、
（ｆ）前記クリーニング部材の先端と堆積部材の先端とが堆積部材の幅方向においてオーバラップさせられることを特徴とするベルトユニット。
【請求項９】
前記堆積部材の先端の長手方向における複数箇所に切欠が形成される請求項８に記載のベルトユニット。
【請求項１０】
前記トナー搬送部材は、トナーを搬送するのに伴って前記堆積部材に微振動を発生させることによって、堆積部材に堆積させられたトナーを前記当接部分に供給する請求項８又は９に記載のベルトユニット。
【請求項１１】
前記トナー搬送部材は回転に伴ってトナーを搬送する請求項８〜１０のいずれか１項に記載のベルトユニット。
【請求項１２】
前記トナー搬送部材はスパイラルである請求項８〜１１のいずれか１項に記載のベルトユニット。
【請求項１３】
前記堆積部材は前記トナー収容部の取付部から先端にかけて傾斜させて配設される請求項８〜１２のいずれか１項に記載のベルトユニット。
【請求項１４】
先端をクリーニング部材の先端と対向させて、かつ、ベルト部材に当接させて配設され、前記クリーニング部材及びトナー収容部との間に密封空間を形成する密封部材を有する請求項１〜１３のいずれか１項に記載のベルトユニット。
【請求項１５】
前記トナー搬送部材によって搬送されたトナーは、ハウジング内に配設されたトナー回収部に送られる請求項１〜１４のいずれか１項に記載のベルトユニット。
【請求項１６】
（ａ）請求項１〜１５のいずれか１項に記載のベルトユニットと、
（ｂ）像担持体を備え、該像担持体上に現像剤像を形成する画像形成ユニットとを有するとともに、
（ｃ）前記ベルト部材の走行に伴って搬送される媒体に前記現像剤像が転写されることを特徴とする画像形成装置。
【請求項１７】
（ａ）請求項１〜１５のいずれか１項に記載のベルトユニットと、
（ｂ）像担持体を備え、該像担持体上に現像剤像を形成する画像形成ユニットとを有するとともに、
（ｃ）前記ベルト部材に前記現像剤像が転写されることを特徴とする画像形成装置。
【手続補正２】
【補正対象書類名】明細書
【補正対象項目名】００１０
【補正方法】変更
【補正の内容】
【００１０】
そのために、本発明のベルトユニットにおいては、複数のローラによって走行自在に張設されたベルト部材と、先端を前記ベルト部材に当接させて配設され、ベルト部材の走行に伴ってベルト部材上のトナーを掻き取るクリーニング部材と、該クリーニング部材によって掻き取られたトナーを収容するためのトナー収容部と、該トナー収容部内において回転自在に配設され、トナー収容部に収容されたトナーを搬送するトナー搬送部材と、該トナー搬送部材に配設され、回転に伴ってトナーを巻き上げ、クリーニング部材とベルト部材との当接部分に供給するブラシとを有する。
【手続補正３】
【補正対象書類名】明細書
【補正対象項目名】００１１
【補正方法】変更
【補正の内容】
【００１１】
本発明によれば、ベルトユニットにおいては、複数のローラによって走行自在に張設されたベルト部材と、先端を前記ベルト部材に当接させて配設され、ベルト部材の走行に伴ってベルト部材上のトナーを掻き取るクリーニング部材と、該クリーニング部材によって掻き取られたトナーを収容するためのトナー収容部と、該トナー収容部内において回転自在に配設され、トナー収容部に収容されたトナーを搬送するトナー搬送部材と、該トナー搬送部材に配設され、回転に伴ってトナーを巻き上げ、クリーニング部材とベルト部材との当接部分に供給するブラシとを有する。
【手続補正４】
【補正対象書類名】明細書
【補正対象項目名】００１２
【補正方法】変更
【補正の内容】
【００１２】
この場合、トナー収容部内において回転自在に配設されたトナー搬送部材にブラシが取り付けられ、トナー搬送部材の回転に伴って、ブラシによってトナーが巻き上げられ、クリーニング部材とベルト部材との当接部分に供給されるので、クリーニング部材とベルト部材との摩擦が大きくなることがない。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
顧客に理美容を行った各理美容師の業務実績を示す理美容師情報を記憶するとともに、理美容室に在籍する前記理美容師の前記理美容師情報から特定した、前記理美容室毎の理美容室業務実績を、理美容室情報として記憶するデータベースと、
ネットワークを介して商品が前記顧客により購入されたことに関する情報と、前記商品の販売先で取得された前記顧客に関する情報と、を含む購入情報を取得する情報取得部と、
前記購入情報および前記理美容師情報に基づいて、前記商品を購入した前記顧客に理美容を行った前記理美容師を特定する担当理美容師特定部と、
前記担当理美容師特定部により特定した前記理美容師に対して、前記顧客が前記商品の購入の際に支払った金額から所定割合をキャッシュバックする際のキャッシュバック率を、該理美容師が在籍する前記理美容室の前記理美容室業務実績を基に決定するキャッシュバック率決定部と、を備え、
前記データベースには、
前記理美容師が前記顧客に商品を推奨した件数を示す推奨件数情報と、
各前記理美容師の施術能力に応じて前記理美容師毎にランクを付したランク情報を基に、所定ランク以上の前記理美容師が前記理美容室に何人在籍しているかを示すランク人数情報と、
前記理美容室に在籍する全ての前記理美容師が顧客から受けた全指名数を示す指名数情報と、
前記商品を購入した前記顧客からの前記理美容師に対する評価を示す評価情報を基に、所定評価以上の前記理美容師が前記理美容室に何人在籍しているかを示す評価数情報と、
前記理美容室に在籍する前記理美容師の在籍人数を示す在籍人数情報と、
のうち少なくともいずれか１つ以上が、前記理美容室毎に前記理美容室業務実績として記憶されており、
前記キャッシュバック率決定部は、
前記データベースに記憶された各前記理美容室業務実績に基づいて前記理美容師に対するキャッシュバック率を決定する
ことを特徴とするキャッシュバック情報管理装置。
【手続補正２】
【補正対象書類名】明細書
【補正対象項目名】発明の名称
【補正方法】変更
【補正の内容】
【発明の名称】キャッシュバック情報管理装置
【手続補正３】
【補正対象書類名】明細書
【補正対象項目名】０００５
【補正方法】変更
【補正の内容】
【０００５】
そこで、接客能力および施術能力の向上を各理美容師に促し、顧客満足度が高いサービスを提供できるキャッシュバック情報管理装置を提案することを目的とする。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
３次元点群内の欠落点を完成させるシステムであって、
シーン内の物体の点データを測定する３次元センサと、
前記３次元センサと、プログラムおよび前記点データを記憶するメモリとに接続されたプロセッサであって、該プロセッサは、前記プログラムの命令ステップを実行し、前記命令ステップは、
前記物体の前記点データを取得して、前記３次元点群を生成するステップであって、前記点データは、前記物体の上の点の集合を含む、ステップと、
前記３次元点群から平面セグメントを抽出するステップと、
前記平面セグメント間の接続関係および欠落点を特定するステップと、
前記平面セグメントおよび前記接続関係を用いて前記３次元点群内の前記欠落点を充填して、完成された３次元点群を生成するステップと、
を含む、プロセッサと、
前記プロセッサおよび前記３次元センサに接続された、前記完成された３次元点群を表示するディスプレイモニターと、
を備える、システム。
【請求項２】
前記特定するステップおよび前記充填するステップは、少なくとも１つの欠落点が前記充填するステップにおいて充填される場合に繰り返される、請求項１に記載のシステム。
【請求項３】
前記３次元点群は、前記３次元センサを固定した姿勢に配置することによって取得される前記点データの単一のフレームから生成される、請求項１に記載のシステム。
【請求項４】
前記３次元点群は、前記３次元センサを種々の姿勢に移動させることによって取得される前記点データの複数のフレームから、該複数のフレームを共通座標系に位置合わせすることによって生成される、請求項１に記載のシステム。
【請求項５】
前記平面セグメントは、前記点データの前記複数のフレームのそれぞれから抽出され、前記共通座標系に位置合わせされる、請求項４に記載のシステム。
【請求項６】
前記特定するステップおよび前記充填するステップは、符号付き距離場を用い、該符号付き距離場は、前記シーン内の各ボクセルの符号付き距離値を含む、請求項１に記載のシステム。
【請求項７】
前記各ボクセルは、前記符号付き距離値が所定の範囲内にある場合には、占有ボクセルとして分類され、前記各ボクセルは、前記符号付き距離値が正の側における前記所定の範囲の正の限界を越えている場合には、空き空間ボクセルとして分類され、前記各ボクセルは、前記符号付き距離値が負の側における前記所定の範囲の負の限界を越えている場合には、未知ボクセルとして分類される、請求項６に記載のシステム。
【請求項８】
２つの前記平面セグメント間のボクセルの大部分が前記占有ボクセルまたは前記未知ボクセルのいずれかである場合に、２つの前記平面セグメントは、接続されているとして特定される、請求項７に記載のシステム。
【請求項９】
接続されているとして特定された前記２つの平面セグメント間の前記未知ボクセルは、占有ボクセルを用いて充填され、占有ボクセルとして更新される、請求項８に記載のシステム。
【請求項１０】
前記符号付き距離場は、近似された符号付き距離値を用いて前記点データから生成され、前記近似された符号付き距離値は、前記３次元センサの各光線方向に沿って求められる、請求項６に記載のシステム。
【請求項１１】
前記符号付き距離場は、３次元空間において定義される、請求項６に記載のシステム。
【請求項１２】
前記符号付き距離場は、前記平面セグメントのそれぞれにおいて定義される、請求項６に記載のシステム。
【請求項１３】
３次元点群内の欠落点を完成させる方法であって、プロセッサがメモリおよび３次元センサと通信し、該方法は、
前記３次元センサを用いてシーン内の物体の点データを測定するステップと、
前記物体の前記点データを取得して、前記３次元点群を生成するステップであって、前記点データは、前記物体の上の点の集合を含む、ステップと、
前記３次元点群から平面セグメントを抽出するステップと、
前記平面セグメント間の接続関係および欠落点を特定するステップと、
前記平面セグメントおよび前記接続関係を用いて前記３次元点群内の前記欠落点を充填して、完成された３次元点群を生成するステップと、
を含む、方法。
【請求項１４】
前記特定するステップおよび前記充填するステップは、少なくとも１つの欠落点が前記充填するステップにおいて充填される場合に繰り返される、請求項１３に記載の方法。
【請求項１５】
前記３次元点群は、前記３次元センサを固定した姿勢に配置することによって取得される前記点データの単一のフレームから生成される、請求項１３に記載の方法。
【請求項１６】
前記３次元点群は、前記３次元センサを種々の姿勢に移動させることによって取得される前記点データの複数のフレームから、該複数のフレームを共通座標系に位置合わせすることによって生成される、請求項１３に記載の方法。
【請求項１７】
前記特定するステップおよび前記充填するステップは、符号付き距離場を用い、該符号付き距離場は、前記シーン内の各ボクセルの符号付き距離値を含む、請求項１３に記載の方法。
【請求項１８】
方法を実行するコンピューターによって実行可能なプログラムが具現化された非一時的コンピューター可読記憶媒体であって、前記方法は、３次元点群内の欠落点を完成させるものであり、プロセッサがメモリおよび３次元センサと通信し、前記方法は、
前記３次元センサを用いてシーン内の物体の点データを測定するステップと、
前記物体の前記点データを取得して、前記３次元点群を生成するステップであって、前記点データは、前記物体の上の点の集合を含む、生成するステップと、
前記３次元点群から平面セグメントを抽出するステップと、
前記平面セグメント間の接続関係および欠落点を特定するステップと、
前記平面セグメントおよび前記接続関係を用いて前記３次元点群内の前記欠落点を充填して、完成された３次元点群を生成するステップと、
を含む、非一時的コンピューター可読記憶媒体。
【請求項１９】
前記特定するステップおよび前記充填するステップは、少なくとも１つの欠落点が前記充填するステップにおいて充填される場合に繰り返される、請求項１８に記載の記憶媒体。
【請求項２０】
前記特定するステップおよび前記充填するステップは、符号付き距離場を用い、該符号
付き距離場は、前記シーン内の各ボクセルの符号付き距離値を含む、請求項１８に記載の記憶媒体。
【手続補正書】
【提出日】令和2年1月8日(2020.1.8)
【手続補正１】
【補正対象書類名】明細書
【補正対象項目名】００３２
【補正方法】変更
【補正の内容】
【００３２】
前記カメラ５の光軸５ａは、前記ポール２が鉛直の状態で、水平となる様に（即ち、前記ポール２の軸心に対して直交する様に）設定されている。前記カメラ５は、受光素子１２としてＣＣＤ或はＣＭＯＳセンサを具備し、該受光素子１２を構成する画素は、前記受光素子１２上で位置が特定される様になっている。例えば、前記光軸５ａが前記受光素子１２の中心を通過し、画素の位置は前記受光素子１２の中心を原点とする座標系で特定される様になっている。前記カメラ５は、前記ローバー１の向きを検出する方向検出装置として機能する。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
ＯＣＴ光源から出射される光を測定光と参照光に分割し、被検物からの前記測定光の反射光と、前記参照光とが合成されたスペクトル干渉信号を検出するＯＣＴ光学系と、
前記ＯＣＴ光学系から出力されるスペクトル干渉信号を処理してＯＣＴデータを取得可能なＯＣＴ装置であって、
第１のＦＰＮを発生させる第１の光学部材と、前記第１のＦＰＮよりもゼロディレイ位置から離れた位置に第２のＦＰＮを発生させる第２の光学部材と、を少なくとも備え、少なくとも２つのＦＰＮ信号を生成するためのＦＰＮ生成光学系と、
前記第１のＦＰＮと前記第２のＦＰＮとを検出可能な検出手段を有し、前記検出手段によって検出された前記第１のＦＰＮと前記第２のＦＰＮを処理し、前記第１のＦＰＮに基づく各波数成分のマッピング情報と前記第２のＦＰＮに基づく各波数成分のマッピング情報との間の差分情報に基づいて、各波数成分のマッピング状態を補正するための補正情報を得る補正情報取得手段と、を備え、前記補正情報を用いてＯＣＴ画像を得ることを特徴とするＯＣＴ装置。
【請求項２】
前記ＦＰＮ生成光学系は、光路分割部材を備え、
前記第１の光学部材は、前記光路分割部材によって分割された第１の光路に配置され、
前記第２の光学部材は、前記光路分割部材によって分割された第２の光路に配置されていることを特徴とする請求項１のＯＣＴ装置。
【請求項３】
前記第１の光路と前記第２の光路は、互いに異なる光路長を持つと共に、前記第１の光路の分散量と、前記第２の光路の分散量とが等しいことを特徴とする請求項２のＯＣＴ装置。
【請求項４】
前記検出手段は、前記第１のＦＰＮと前記第２のＦＰＮの両方を同時に検出可能であることを特徴とする請求項１〜３のいずれかのＯＣＴ装置。
【請求項５】
前記ＦＰＮ生成光学系は、
第１のＦＰＮに対する光学的距離によって導かれる第２のＦＰＮの感度減衰カーブよりも、第２のＦＰＮの信号強度が相対的に上回るように設定されていることを特徴とする請求項１〜４のいずれかのＯＣＴ装置。